(57)【要約】【課題】一つの基板に配置し、かつ、スケーラがＤＣ−ＤＣコンバータが発生する熱とノイズの影響を受けにくい、表示装置を提供する。【解決手段】液晶パネルと、画像信号から変換されたディジタル信号を、液晶パネルの画像サイズに従い、画像データに変換するスケーラ１１と、液晶パネル及びスケーラ１１に電源電圧を供給するＤＣ−ＤＣコンバータ１８と、基板２７とを備え、基板２７の一面側にＤＣ−ＤＣコンバータ１８を配置し、基板２７の他面側にスケーラ１１を配置した。更に、画像信号及び同期信号が入力され、ディジタル信号を出力するデータ変換器１５を設け、画像データが入力され、液晶パネルに伝送信号を伝送する伝送器１６を設け、基板２７の一面側に、データ変換器１５及び伝送器１６を配置した。【選択図】        図３
2004252234.tif 000002
【特許請求の範囲】
【請求項１】
液晶パネルと、画像信号から変換されたディジタル信号を、前記液晶パネルの画像サイズに従い、画像データに変換するスケーラと、前記液晶パネル及び前記スケーラに電源電圧を供給するＤＣ−ＤＣコンバータと、基板とを備え、前記基板の一面側に前記ＤＣ−ＤＣコンバータを配置し、前記基板の他面側に前記スケーラを配置した事を特徴とする表示装置。
【請求項２】
画像信号及び同期信号が入力され、前記ディジタル信号を出力するデータ変換器を設け、前記画像データが入力され、前記液晶パネルに伝送信号を伝送する伝送器を設け、前記基板の一面側に、前記データ変換器及び前記伝送器を配置した事を特徴とする請求項１の表示装置。
【請求項３】
冷却ファンを設け、前記ＤＣ−ＤＣコンバータ及び前記スケーラが取り付けられた前記基板を、前記冷却ファンの吸込み側に配置した事を特徴とする請求項１の表示装置。
【請求項４】
下部通気孔及び上部通気孔が形成された本体を設け、前記本体の前面側に前記液晶パネルを配置し、前記上部通気孔の近傍に位置する様に、前記本体の後面側に前記冷却ファンを配置し、前記上部通気孔と前記下部通気孔との間に位置する様に、前記本体の後面側に、前記ＤＣ−ＤＣコンバータ及び前記スケーラが取り付けられた前記基板を配置した事を特徴とする請求項３の表示装置。
【請求項５】
前記ＤＣ−ＤＣコンバータ及び前記スケーラが取り付けられた前記基板は、前記冷却ファンよりも前面側に配置された事を特徴とする請求項４の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１によると、液晶パネル２３０と、スケーラ３４０と、ＤＣ−ＤＣコンバータ１２０とが設けられている。
【０００３】
【特許文献１】
特開２００２−２８７１０９号公報
【０００４】
【発明が解決しようとする課題】
しかし、上記表示装置では、スケーラ３４０と、ＤＣ−ＤＣコンバータ１２０とを、各々の基板上に配置しており、大きな配置スペースを必要とし、コストが高くなる第１の欠点がある。
【０００５】
上記欠点を解消するために、本発明は、一つの基板の表面上に、ＤＣ−ＤＣコンバータと、スケーラとを配置した。しかし、ＤＣ−ＤＣコンバータが発生する熱とノイズにより、スケーラが悪影響を受ける、第２の欠点がある。故に、本発明はこの様な従来の欠点を考慮し、一つの基板に配置し、かつ、スケーラがＤＣ−ＤＣコンバータが発生する熱とノイズの影響を受けにくい、表示装置を提供する。
【０００６】
【課題を解決するための手段】
上記課題を解決するために、請求項１の本発明では、液晶パネルと、画像信号から変換されたディジタル信号を、前記液晶パネルの画像サイズに従い、画像データに変換するスケーラと、前記液晶パネル及び前記スケーラに電源電圧を供給するＤＣ−ＤＣコンバータと、基板とを備え、前記基板の一面側に前記ＤＣ−ＤＣコンバータを配置し、前記基板の他面側に前記スケーラを配置した。
【０００７】
請求項２の本発明では、画像信号及び同期信号が入力され、前記ディジタル信号を出力するデータ変換器を設け、前記画像データが入力され、前記液晶パネルに伝送信号を伝送する伝送器を設け、前記基板の一面側に、前記データ変換器及び前記伝送器を配置した。
【０００８】
請求項３の本発明では、冷却ファンを設け、前記ＤＣ−ＤＣコンバータおよび前記スケーラが取り付けられた前記基板を、前記冷却ファンの吸込み側に配置した。
【０００９】
請求項４の本発明では、下部通気孔及び上部通気孔が形成された本体を設け、前記本体の前面側に前記液晶パネルを配置し、前記上部通気孔の近傍に位置する様に、前記本体の後面側に前記冷却ファンを配置し、前記上部通気孔と前記下部通気孔との間に位置する様に、前記本体の後面側に、前記ＤＣ−ＤＣコンバータ及び前記スケーラが取り付けられた前記基板を配置した。
【００１０】
請求項５の本発明では、前記ＤＣ−ＤＣコンバータ及び前記スケーラが取り付けられた前記基板は、前記冷却ファンよりも前面側に配置された。
【００１１】
【発明の実施の形態】
最初に、図１ないし図３に従い、本発明の実施の形態に係る表示装置１につき主に、電気的構成を説明する。図１は表示装置１のブロック図、図２は表示装置１の要部平面図、図３は表示装置１の要部断面図である。
【００１２】
これらの図において、入力手段２はコネクタ等からなり、例えば、ＤＶＤプレイヤ（図示せず）に接続され、映像信号が入力される。入力手段２はこの映像信号から画像信号Ｒ，Ｇ，Ｂと、同期信号ＨＤ／ＣＳＹＮＣ，ＶＤを出力する。
【００１３】
Ｄ端子３は、ＤＶＤプレイヤに接続され、高品質映像信号ＹＰｂＰｒを出力する。端子４は、コンポジットビデオ信号ＣＶＢＳを出力し、端子５は色信号Ｙ／Ｃ等を出力する。
【００１４】
セレクタ６は、コントロール回路７からの制御信号により、上記映像信号Ｒ、Ｇ、Ｂ又は高品質映像信号ＹＰｂＰｒを選択し、その選択した映像信号を、ビデオデコーダ８へ出力する。このセレクタ６と、コントロール回路７等により、コンポーネント基板（制御基板）９は構成されている。
【００１５】
ビデオデコーダ８には、コンポジット信号ＣＶＢＳと、色信号Ｙ／Ｃと、選択された映像信号と、同期信号ＨＤ／ＣＳＹＮＣ等が入力される。ビデオデコーダ８は、符号化されたデータを、元のデータに戻し、ＡＤ変換器を内臓している。
【００１６】
ディンタレーサ１０は、ビデオデコーダ８が出力するＯＤＤ信号と、ＥＶＥＮ信号を合成するもので、その合成信号をスケーラ１１へ出力する。これらのビデオデコーダ８と、ディンタレーサ１０等により、ビデオ基板（制御基板）１２は構成されている。
【００１７】
入力手段１３は、コネクタ等からなり、パソコンに接続され、映像信号が入力されると、入力手段１３は、この映像信号から、画像信号Ｒ，Ｇ，Ｂと、同期信号ＨＤ，ＶＤを、セレクタ１４へ出力する。
【００１８】
データ変換器１５は、セレクタ１４からの入力を、ディジタル信号に変換し、スケーラ１１へ出力する。即ち、データ変換器１５は、画像信号Ｒ，Ｇ，Ｂ及び同期信号（ＨＤ，ＶＤ等）が入力され、ディジタル変換し、ディジタル信号を出力する。また、データ変換器１５はスケーラ１１に対し、ドットクロック信号も出力する。
【００１９】
スケーラ１１は例えば、マイクロコンピュータ等を内蔵するＩＣ（集積回路素子）である。スケーラ１１は、画像信号Ｒ，Ｇ，Ｂから変換されたディジタル信号を、液晶パネル１７の画像サイズ（例えば、ＷＸＧＡ）に従い、画像データに変換するものである。この様にして、スケーラ１１は伝送器１６に対し、上記画像データを出力する。
【００２０】
伝送器１６は、入力された画像データを、低レベル差動伝送信号ＬＶＤＳ（Ｌｏｗ  Ｖｏｌｔａｇｅ  Ｄｉｆｆｅｒｅｎｔｉａｌ  Ｓｉｇａｎａｌ）に変換し液晶パネル１７に対し、上記信号ＬＶＤＳを出力する。即ち、伝送器１６は、画像データが入力され、液晶パネル１７に対し、伝送信号ＬＶＤＳを出力するものである。
【００２１】
これらの基板２７と、データ変換器１５と、スケーラ１１と、伝送器１６と、ＤＣ−ＤＣコンバータ１８と、冷却ファン制御部１９等により、基板組立品２０が構成されている。また、基板２０ａには、セレクタ１４が配置されている。液晶パネル１７は、液晶表示器と、複数のバックライト（共に、図示せず）から構成されている。
【００２２】
プラグ２１の出力側は、コネクタ回路２２を介して、電源基板２３，２４に接続されている。電源基板２３，２４はトランスや整流回路等からなり、所定の電圧に設定された直流電圧を供給するものである。
【００２３】
電源基板２３、２４は例えば、インバータ２５，２６に対し、各々、直流電圧を供給する。インバータ２５，２６は、液晶パネル１７の各バックライトを駆動するものである。
【００２４】
電源基板２３は、ＤＣ−ＤＣコンバータ１８に対し、所定の直流電圧を供給する。ＤＣ−ＤＣコンバータ１８は、液晶パネル１７と、スケーラ１１と、セレクタ６と、コントロール回路７と、ビデオデコーダ８と、ディンタレーサ１０と、セレクタ１４と、データ変換器１５と、伝送器１６と、冷却ファン制御部１９等に対し、各々、電源電圧を供給する。
【００２５】
次に、主に図２と図３に従い、この表示装置１の要部を説明する。これらの図において、基板２７は例えば、ガラス繊維入りエポキシ樹脂からなる。基板２７の一面側（例えば表面側）には、所定のパターンにて導電層（図示せず）が形成されている。基板２７の他面側（例えば裏面側）にも、所定の導電層（図示せず）が形成されている。
【００２６】
ＤＣ−ＤＣコンバータ１８は例えばＩＣと、複数の回路素子（抵抗、コンデンサなど）とからなり、基板２７の一面側の導電層上に半田（図示せず）等により固定されている。
【００２７】
冷却ファン制御部１９は例えばＩＣと、複数の回路素子とからなり、基板２７の一面側の導電層上に半田等により、固定されている。データ変換部１５と伝送器１６は例えば、共にＩＣからなり、基板２７の一面側の導電層上に半田等により固定されている。
【００２８】
スケーラ１１は例えばＩＣからなり、基板２７の他面側の導電層に半田等により、固定されている。以上の部品１１，１５，１６，１８，１９，２７等により基板組立品２０は構成されている。
【００２９】
冷却ファン２８は例えば、ファンと、ファンケーシングと、モータ等により構成されている。冷却ファン２８は、前面側Ｂから空気を吸込み、後面側Ａへ空気を吐出する様に設けられている。
【００３０】
図３に示す様に、ＤＣ−ＤＣコンバータ１８およびスケーラ１１等が取り付けられた基板２７は、冷却ファン２８の吸込み側に配置されている。ＤＣ−ＤＣコンバータ１８及びスケーラ１１等が取り付けられた基板２７は、冷却ファン２８よりも、前面側Ｂに配置されている。
【００３１】
本体２９は、表示装置１の外枠を形成するものである。本体２９は、下部通気孔３０と、上部通気孔３１とが形成されている。
【００３２】
本体２９の前面側Ｂには、液晶パネル１７が配置されている。冷却ファン２８は、上部通気孔３１の近傍に位置する様に、本体２９の後面側Ａに配置されている。ＤＣ−ＤＣコンバータ１８及びスケーラ１１が取り付けられた基板２７は、上部通気孔３１と下部通気孔３０との間に位置する様に、本体２９の後面側Ａに配置されている。
【００３３】
次に主に図４に従い、この表示装置１につき、主に機械的構成を説明する。図４は、後板を部分的に外した時の、表示装置１の斜視図である。
【００３４】
図４において、フレーム板３２は、例えばステンレス板からなり、後面側Ａの適所に、折り曲げ部が形成され、折り曲げ部には、ネジ切りされた孔が形成されている。
【００３５】
同様に、フレーム板３３，３４，３５は例えばステンレス板からなり、後面側Ａの適所に、各折り曲げ部が形成され、各折り曲げ部には、ネジ切りされた各孔が形成されている。
【００３６】
４個の金具はＬ字状に形成され、フレーム板３２，３３，３４，３５の各コーナに配置され、ボルトにより固定されている。このフレーム板３２，３３，３４と３５と、金具等により、フレーム３６は構成されている。フレーム３６は、前面側Ｂと後面側Ａが開放した枠状に形成されている。
【００３７】
補強板３７，３８は例えば、アルミニュームの押し出し材からなり、略直方体状に形成されている。補強板３７，３８の一端面は、フレーム板３２の内面に当接している。
【００３８】
金具は例えばＬ字状に形成され、補強板３７とフレーム板３２のコーナに配置され、ボルトにより、補強板３７およびフレーム板３２に固定されている。
【００３９】
また、補強板３７の他の端面は、フレーム板３４の内面に当接している。２個の金具（図示せず）は、Ｌ字状に形成され、補強板３７とフレーム板３４のコーナに配置され、ボルトにより、補強板３７およびフレーム板３４に固定されている。
【００４０】
同様に、金具はＬ字状に形成され、補強板３８とフレーム板３２のコーナに配置され、ボルトにより、補強板３８およびフレーム板３２に固定されている。
【００４１】
また、補強板３８の他の端面は、フレーム板３４の内面に当接している。２個の金具（図示せず）はＬ字状に形成され、補強板３８とフレーム板３４のコーナに配置され、ボルトにより、補強板３８とフレーム板３４に固定されている。
【００４２】
この様に、補強板３７，３８は、フレーム３６の相対する辺に、後面側Ａで固定されている。
【００４３】
補強部３９は例えば、アルミニュームの押し出し材からなり、フレーム板３３とフレーム板３５に固定されている。
【００４４】
支持板４０の左端はボルトにより、補強板３８の側面に固定され、右端はボルトにより、取付台４１に固定されている。
【００４５】
冷却ファン２８は例えば、ファンと、ファンケーシングと、モータ等により構成されている。冷却ファン２８は、支持板４０よりも前面側Ｂに位置する様に支持板４０に固定されている。上記ファンより後面側Ａに位置する様に、支持板４０には、開口部が形成されている。
【００４６】
支持板４２の左端はボルトにより、取付台４１に固定され、右端はボルトにより、補強板３７の側面に固定されている。
【００４７】
冷却ファン４３は例えば、ファンと、ファンケーシングと、モータ等により構成されている。冷却ファン４３は、支持板４０よりも前面側Ｂに位置する様に支持板４２に固定されている。上記ファンより後面側Ａに位置する様に、支持板４２には、開口部が形成されている。
【００４８】
この様に、冷却ファン２８，４３は、前面側Ｂから空気を吸込み、後面側Ａへ空気を吐出する様に、設けられている。
【００４９】
支持板４４の左端はボルトにより、補強板３８の側面に固定され、右端はボルトにより、取付板４１に固定されている。支持板４４の載置面は、支持板４０よりも前面側Ｂに位置する様に設けられている。電源基板２３はボルトにより、支持板４４の載置面に固定されている。
【００５０】
支持板４５の左端はボルトにより、取付台４１に固定され、右端はボルトにより、補強板３７の側面に固定されている。支持板４５の載置面は、支持板４０よりも前面側Ｂに位置する様に設けられている。電源基板２４はボルトにより、支持板４５の載置面に固定されている。
【００５１】
支持板４６の左端はボルトにより、補強板３８の側面に固定され、右端はボルトにより、補強板３７の側面に固定されている。支持板４６の載置面は、支持板４０よりも前面側Ｂに位置する様に設けられている。ビデオ基板１２と、基板組立品２０はボルトにより、支持板４６の載置面に固定されている。
【００５２】
コンポーネント基板９は、支持板４６よりも、前面側Ｂに位置する様に固定されている。コネクタ基板２２は支持板４６よりも、後面側Ａに位置する様に固定されている。この様に、制御基板（コンポーネント基板９と、ビデオ基板１２と基板組立品２０）および電源基板２３，２４は、冷却ファン２８，４３よりも前面側Ｂに配置されている。
【００５３】
液晶パネル１７は例えば、４０インチの液晶表示器と、複数のバックライト等から構成され、外形は略直方体である。液晶パネル１７は、補強板３７，３８よりも前面側Ｂに位置する様に、ボルト等により、フレーム３６の内辺に、前面側Ｂにて固定されている。液晶パネル１７の前面側Ｂに、パッキン（図示せず）を介して透明板（図示せず）が配置されている。
【００５４】
ケーシング４７は例えば金属板等からなり、有底の箱状に形成されている。ケーシング４７の底部（前面側Ｂ）には、開口部（図示せず）が形成されている。上記開口部を介して、透明板および液晶パネル１７が、使用者に対して、正面から見える様に構成されている。
【００５５】
ケーシング４７の側面には、孔が形成され、ボルトはこの孔を貫通し、フレーム３６に設けられ、ネジ切りされた孔に固定されている。ケーシング４７は、フレーム３６および液晶パネル１７を覆う様に設けられている。
【００５６】
後板４８は例えば金属板等からなり、ボルトは、後板４８に形成された孔を貫通し、フレーム板３２，３３，３４，３５の上面に位置する、ネジ切りされた孔に固定されている。この様に、後板４８は、ケーシング４７の開放された後面側Ａに固定されている。
【００５７】
後板４８の下部には、下部通気孔３０が形成され、後板４８の上部には、上部通気孔３１が設けられている。この上部通気孔３１は冷却ファン２８，４３の上空（後面側Ａ）に位置する様に、形成されている。
【００５８】
上述した様に、これらのフレーム３６と、ケーシング４７と、後板４８等により、本体２９は構成されている。
【００５９】
フレーム板３２と、フレーム板３４と、補強板３７と、補強板３８と、後板４８と、支持板４４，４５，４６等により、略閉じられた（下部通気孔３０と上部通気孔３１があるが）部屋４９が構成されている。
【００６０】
冷却用ファン２８，４３は、この部屋４９の一部に配置され、制御基板９，１２，２０と電源基板２３，２４は、この部屋４９の他部に配置されている。以上の部品により、この表示装置１は構成されている。
【００６１】
次に、図１ないし図４に従い、表示装置１の動作を説明する。使用者はプラグ２１を電源コンセント（図示せず）に挿入し、パソコンの出力端子を入力手段１３に接続し、運転スイッチ（図示せず）を押す。
【００６２】
この時、パソコンからの映像信号は、基板組立品板２０により、伝送信号ＬＶＤＳに変換される。そして、液晶パネル１７は、この伝送信号ＬＶＤＳに従い、表示を行う。また、電源基板２３，２４にも電圧が印加され、インバータ２５，２６にも電圧が印加され、冷却ファン２８，４３にも電圧が印加される。
【００６３】
その結果、電源基板２３，２４上の電気部品と、各基板９，１２，２０上の電気部品と、インバータ２５，２６等は、温度上昇し始める。
【００６４】
この時、冷却ファン４３の吸引により、表示装置１の外の空気Ｃは、後板４８の下部通気孔３０を通り、部屋４９に入り、コネクタ基板２２を冷却し、電源基板２４上の電気部品を冷却し、インバータ２６を冷却し、冷却ファン４３の吸引口を通り、吐出口を通り、後板４８の上部通気孔３１から外部へ吐出される。
【００６５】
また、冷却ファン２８の吸引により、表示装置１の外の空気Ｄは、下部通気孔３０を通り、コンポーネント基板９上の電気部品を冷却し、部屋４９に入る。
【００６６】
部屋４９に入った空気Ｄは、基板２７の一面側（例えば表面側）を通る空気Ｄ１と、基板２７の他面側（例えば裏面側）を通る空気Ｄ２に分岐される（図３参照）。
【００６７】
基板２７の一面側に配置されたＤＣ−ＤＣコンバータ１８と、伝送器１６と、冷却ファン制御部１９と、データ変換器１５は、空気Ｄ１により冷却される。基板２７の他面側に配置されたスケーラ１１は、上記空気Ｄ２により冷却される。
【００６８】
この空気Ｄ１，Ｄ２は上方で合流した空気Ｄとなり、電源基板２３上の電気部品を冷却し、インバータ２５を冷却し、冷却ファン２８の吸引口を通り、吐出口を通り、後板４８の上部通気孔３１から、外部へ吐出される。
【００６９】
上述した様に、冷却ファン２８により吸引された空気Ｄ１により、ＤＣ−ＤＣコンバータ１８と、データ変換器１５と、伝送器１６等は冷却される。また、冷却ファン２８により吸引された空気Ｄ２により、スケーラ１１は冷却される。
【００７０】
また、ノイズの影響を受け易いスケーラ１１を、基板２７を挟んで、ノイズの発生源となり易いＤＣ−ＤＣコンバータ１８の反対側に位置させた。その結果、ＤＣ−ＤＣコンバータ１８が発生するノイズにより、スケーラ１１が悪影響を受ける事は、従来に比べ、実用上、支障がないレベルまで下がった。
【００７１】
なお、上記説明と異なり、冷却ファン２８等が無い場合も、本発明は有効である。即ち、熱の影響を受け易いスケーラ１１は、基板２７を挟んで、熱の発生源となるＤＣ−ＤＣコンバータ１８の反対側に位置している。その結果、ＤＣ−ＤＣコンバータ１８が発生する熱により、スケーラ１１が悪影響を受ける事は、従来に比べ、格段に下がる。
【００７２】
【発明の効果】
請求項１の本発明では、液晶パネルと、画像信号から変換されたディジタル信号を、前記液晶パネルの画像サイズに従い、画像データに変換するスケーラと、前記液晶パネル及び前記スケーラに電源電圧を供給するＤＣ−ＤＣコンバータと、基板とを備え、前記基板の一面側に前記ＤＣ−ＤＣコンバータを配置し、前記基板の他面側に前記スケーラを配置した。上記構成により、熱とノイズの影響を受け易いスケーラは、基板を挟んで、熱とノイズの発生源となり易いＤＣ−ＤＣコンバータの反対側に位置する。その結果、ＤＣ−ＤＣコンバータが発生する熱とノイズにより、スケーラが悪影響を受ける事は、実用上、支障がないレベルまで下がる。また、一つの基板に、スケーラとＤＣ−ＤＣコンバータを配置させるので、基板組立品をコンパクト化する事ができる。
【００７３】
請求項２の本発明では、画像信号及び同期信号が入力され、前記ディジタル信号を出力するデータ変換器を設け、前記画像データが入力され、前記液晶パネルに伝送信号を伝送する伝送器を設け、前記基板の一面側に、前記データ変換器及び前記伝送器を配置した。この様に、データ変換器と伝送器を基板の一面側に配置させる事により、基板組立品をコンパクト化する事ができる。
【００７４】
請求項３の本発明では、冷却ファンを設け、前記ＤＣ−ＤＣコンバータと前記スケーラが取り付けられた前記基板を、前記冷却ファンの吸込み側に配置した。上記構成によってり、基板に取り付けられたＤＣ−ＤＣコンバータ及びスケーラは、冷却ファンの吸引空気により冷却されるので、上記部品の温度上昇は抑制される。
【００７５】
請求項４の本発明では、下部通気孔及び上部通気孔が形成された本体を設け、前記本体の前面側に前記液晶パネルを配置し、前記上部通気孔の近傍に位置する様に、前記本体の後面側に前記冷却ファンを配置し、前記上部通気孔と前記下部通気孔との間に位置する様に、前記本体の後面側に、前記ＤＣ−ＤＣコンバータ及び前記スケーラが取り付けられた前記基板を配置した。上記構成により、冷却ファンの吸引により、下部通気孔から入った空気は、ＤＣ−ＤＣコンバータ及びスケーラを確実に冷却する事ができる。
【００７６】
請求項５の本発明では、前記ＤＣ−ＤＣコンバータ及び前記スケーラが取り付けられた前記基板は、前記冷却ファンよりも前面側に配置された。上記構成により、下部通気孔から入った吸引空気は、基板の一面側を通る空気Ｄ１と、基板の他面側を通る空気Ｄ２に分岐される。その結果、空気Ｄ１はＤＣ−ＤＣコンバータを確実に冷却し、空気Ｄ２はスケーラを確実に冷却する事ができる。
【図面の簡単な説明】
【図１】本発明の実施の形態に係る表示装置１のブロック図である。
【図２】表示装置１の要部平面図である。
【図３】表示装置１の要部断面図である。
【図４】後板を部分的に外した時の、表示装置１の斜視図である。
【符号の説明】
１１  スケーラ
１８  ＤＣ−ＤＣコンバータ
２７  基板
【図１】
2004252234.tif 000003
【図２】
2004252234.tif 000004
【図３】
2004252234.tif 000005
【図４】
2004252234.tif 000006